【手続補正書】
【提出日】平成28年6月24日(2016.6.24)
【手続補正１】
【補正対象書類名】明細書
【補正対象項目名】全文
【補正方法】変更
【補正の内容】
【発明の詳細な説明】
【発明の名称】防災用折りたたみ三角テント
【技術分野】
【０００１】
本発明は、有事の際、避難テントのほか、縦に設置することで、緊急トイレとしても使用出来る折りたたみ可能な、防災用折りたたみ三角テントに関するものである。
【背景技術】
【０００２】
従来の防災用テントでは、トイレ用のテントは縦型で便器を単独でテント内に設置する形式であるのに対し、避難用のテントは横型の形式であるため、これらトイレ用および避難用の別々の二種類の製品が供給されていた。
【０００３】
三角形の防災用テントとしては、例えば特許文献１に示すように、震災時の落下物から身を守る、危険防止の対策用のものがある。
【先行技術文献】
【特許文献】
【０００４】
【特許文献１】特開平８−１９９８５６号公報
【発明の概要】
【発明が解決しようとする課題】
【０００５】
防災用テントの課題は、折りたたみ式構造にして、小型軽量コンパクトで備蓄の場所が小さく、また、現場での組立て作業が簡単で、且つ多機能的で応用性があり、そして普及促進のためには極力低価格であることが求められている。
【０００６】
また、具体的に要求される点としては以下の事項がある。
【０００７】
災害地の現場の状況により、このテントを縦置きにして使用できるとともに、横置きにして使用できる、縦横両用のものにすべきである。
【０００８】
テントの組み立て完了と同時に便器までが完備されることが重要である。
【０００９】
応急トイレではあるが、防災弱者には安心して使用出来る、背あて、ひじ置き、立ちしゃがみの時に、つかまる手すりなどの補助機能がほしい。
【００１０】
被災地では男性用と女性用の双方の備えがあり、緊急時の男性用と女性用との切り替えが容易に出来る仕組みが求められる。
【００１１】
冬季に野外で使用する避難テントとしては接地面から体温が奪われないよう防寒対策が重要である。
【００１２】
津波や洪水予測地帯では、避難民の逃げ遅れ対策として、このテントに救命筏としての機能も備えたい。
【００１３】
排泄関連の用品の備えもテントの構造の一角に確保して組み立て完了と同時に一式揃っていて有事の場合には迷わず即座に使用できることが望ましい。
【００１４】
有事には単位テント同士の組み合わせも可能な構造にして、被災地での応用性も高めておく必要がある。
【００１５】
本発明はこのような点に鑑みなされたもので、非常用トイレとしてのみならず、避難生活用のテントとしても活用できる汎用性の高い防災用折りたたみ三角テントを提供することを目的とする。
【課題を解決するための手段】
【００１６】
請求項１に記載された防災用折りたたみ三角テントは、互いに長辺が接するように並設された長方形の３つの枠体と、前記枠体の長辺の端部に設けられた連結金具と、隣り合う枠体が蝶番で互いに回動自在に連結された第一の接合部および第二の接合部と、前記枠体を覆うテント地とを有する屏風状連結体を備え、前記屏風状連結体は、前記第一の接合部および第二の接合部を折り曲げて三角形の筒状にした状態にて、前記第一の接合部で連結された１対の枠体における蝶番とは反対側である両端に位置する二本の長辺の連結金具に梁部材を固定することで、テント地が設けられた２つの枠体でＶ字状の壁が構成され、テント地が設けられた他の１つの枠体で開閉自在なドアが構成された個室となるものである。
【００１７】
請求項２に記載された防災用折りたたみ三角テントは、請求項１記載の防災用折りたたみ三角テントにおいて、屏風状連結体を個室にした状態では、第一の接合部を６０度に折り曲げるものである。
【００１８】
請求項３に記載された防災用折りたたみ三角テントは、請求項１または２記載の防災用折りたたみ三角テントにおいて、第一の接合部は、枠体の長辺が２つの蝶番で連結され、第二の接合部は、枠体の長辺が自在蝶番で連結されているものである。
【００１９】
請求項４に記載された防災用折りたたみ三角テントは、請求項１ないし３いずれか一記載の防災用折りたたみ三角テントにおいて、個室にした状態の複数の屏風状連結体を縦置きまたは横置きの状態で併設して互いに連結する際に、ドアの開閉状態、連結金具による連結状態および梁部材による固定状態に応じて多角的組み合わせで構成可能であるものである。
【発明の効果】
【００２０】
本発明によれば、非常用トイレとしてのみならず、避難生活用のテントとしても活用できるため、汎用性が高い。
【図面の簡単な説明】
【００２１】
【図１】梯子状枠体の斜視図
【図２】屏風状連結体の斜視図
【図３】縦置きの三角筒状テントの斜視図
【図４】横置きの三角筒状テントの斜視図
【図５】二棟合併で容積倍増の斜視図
【図６】トイレ使用の斜視図
【図７】男子尿器取り付けの斜視図
【図８】梱包体の筏使用の斜視図
【発明を実施するための形態】
【００２２】
以下、本発明の実施の形態を説明する。
【００２３】
まず、梯子状の枠体の構成について説明する。
【００２４】
図１および図２に示すように、例えば２メートル程度のパイプ状の縦桟（１）を２本設け、それぞれに横桟受けのフリー継ぎ手（２）を三個通し、縦桟（１）の先端に凹のほぞ孔（３）になるようにＴ字継ぎ手（４）を設ける。
【００２５】
例えば１メートル程度の横桟（５）５本を等間隔に配置し、縦桟（１）のフリー継ぎ手（２）のジョイントに嵌め込み、組み付け孔（６）を明けて、タップねじ（７）で接合部を固定して、梯子状（長方形状）の枠体（８）が構成される。
【００２６】
次に、屏風状連結体の構成について説明する。
【００２７】
この梯子状の枠体（８）の長辺を接するように三枚並べ、第一面（１６）と第二面（１７）とを長辺が接するように配置し、Ｔ字継ぎ手部のところで二箇所を第一の接合部として蝶番（９）で、連結固定する。
【００２８】
枠体（８）の第二面（１７）と第三面（１８）は、第二の接合部としてめがね自在蝶番（１０）で直管部を二箇所でつなぎ、めがね自在蝶番（１０）の上下を横ずれ防止の固定環（１１）で連結する。
【００２９】
連結した三枚の枠体（８）の裏面を防水性を有する外装テント地（１２）で覆い、その外装テント地（１２）をパッカー（１３）で枠体（８）に固定して、屏風状連結体（１４）が完成する。
【００３０】
次に、三角の個室の構成について説明する。
【００３１】
屏風状連結体（１４）の第一の接合部を内角略６０度（１５）に折り曲げ、屏風状連結体（１４）の第一面（１６）と第二面（１７）を、梁部材としてのかすがい梁（１９）を嵌め込みＶ状壁を形成し、第三面（１８）をドア（３７）として三角の筒状の個室（２０）が構成される。
【００３２】
個室の両端の三角開口部（２１）はテント地で覆う、一方は三角の帽子、もう一方
はファスナー止とする。
【００３３】
本発明は以上のような構造である。
【００３４】
上記防災用折りたたみ三角テントを使用する際には、図３に示すようにいわゆる縦置きで立てて使用するときは、三角の角を風上になるように据え、三角筒の上部の角（２２）からロープ（２３）を３本張り、地面に打ち込んだアンカー（２４）にしっかり固定して、強風でも転倒しないように設置する。
【００３５】
図４に示すいわゆる横置きで横に寝かせて使用する場合もアンカー作業は同様とする。また、横置きの場合は、ドア（３７）が横方向に位置し開閉は上下方向になるが、閉じて使用する場合は、横の三角開口部（２１）のどちらか一方を出入り口にする。
【００３６】
テントと便器の一体化について、便座は容器式ではなく、便袋を使用することになるので、テントの組み立ての時に、図６に示すように着脱便座（２５）を横桟（５）に嵌め込み、この着脱便座（２５）には便袋ガイドネット（２６）を設ける。そして、使用時には必ず便袋ガイドネット（２６）を設けること、固化剤の小分け袋の口を切って、固化剤を入れること、および、用済み後は各自便袋を取り上げて、結束して汚物容器に収めることが好ましい。
【００３７】
なお、横桟に着脱式便座を片止め取り付けで収納しておき、テントの組立てに伴って即座に便座が配置される構成にしてもよい。
【００３８】
背あて、補助用の手すりは個室の中に既に設けられており、三角の隅の縦枠二本が背あて（３９）として機能し、両側の横桟が手すり（３８）として機能する。
【００３９】
男性用尿器の切り替えは、着脱便座（２５）を外し、接続された深いじょうご型の尿受け袋である男性用折りたたみ尿器（２６）を横桟に吊り下げるように架け、尿器底部の接続ホース（２７）をテントの外に導き下水のマンホール（２９）に導く。なお、設置場所が土壌の場合は、地面を掘って地下浸透等としてもよい。
【００４０】
床の保温対策は、屏風状連結体（１４）の第二面（１７）の横桟の間に発砲スチロールなどの保温材（３０）を嵌め込みその上にダンボール等のボード（３７）を敷いて体温の低下を防ぐ。
【００４１】
救命筏対策については、津波や洪水の危険地域ではこの単位テントの横桟全体に発砲スチロール板等の保温材（３０）を嵌め込み、外周が枠体に守られた強固な浮体にして、更に防水袋に入れて防水包装（３１）を施し、がっちりと結束ひも（３２）で縄掛けし、結束ひも（３２）の交わるところには、環状取手（３３）を多数取り付けて、両手でしっかりと、身の安全を確保出来るようにして、救命筏（３４）が完成する。
【００４２】
単位テントのドア（３７）の内側において、便座に座った状態で目の高さとなる横桟の左半分の発泡材をくりぬき排泄用品収納箱を設置して、その排泄用品収納箱に、便袋ガイドネット（２６）、固化剤、トイレットペーパー、消臭剤および消毒剤などの排泄用品を同封梱包する。
【００４３】
し尿回収袋、固化剤、トイレットペーパー、消臭、消毒剤などの必需品を取り揃えた箱を収納し、ゴムバンドで落下防止の対策を施す。
【００４４】
次に、単位テントの結合について説明する。
【００４５】
二棟の防災用折りたたみ三角テントを横に並べて棟の高さと内容積を２つ分の倍にする。
【００４６】
すなわち、図５に示すように２つの防災用折りたたみ三角テントをドア面が向き合うように配置し、双方のドア（３７）を天上方向へ回動させて、双方のドア（３７）の先端を棟金具（２９）で固定する。なお、二棟のベースはしっかり地面に固定されていることが重要である。
【００４７】
縦置きの状態の２つの防災用折りたたみ三角テントを繋げて隣接する場合、先ず隣同士の本体を棟金具（２９）で固定し、次に双方のドア（３７）を外側に回動させて、互いのドア（３７）の先端が接した状態で固定し最大の床面積を確保し、拡張部を補充テントで覆い、拡張テントが完成する。
【００４８】
上記防災用折りたたみ三角テントによれば、被災地にて、非常用トイレとしてのみならず、避難生活のテントとしての活用が可能になり、寒冷地では寒さを凌ぐことが出来る。
【００４９】
また、縦置きでトイレとして使用する場合には、テントの組立てと同時に便座が形成され即座にし尿回収袋を置いて用がたすことができる。
【００５０】
さらに、男性用と女性用の尿器の切り替えが容易になり、屈む場合には手すり肘掛、背あてがあり、被災地では極めて便利である。
【００５１】
また、津波や洪水予測地帯では救命筏として利用でき、負傷者を運ぶ担架等にも適用でき、活用範囲が広い。
【００５２】
さらに、同梱で排泄用品が一式取り揃えてあるので帰宅難民沿道救援対策にも抜群の効果が期待できる。
【００５３】
また、被災現場の安全管理上、単位テント同士の結合が可能になったため、ドアの旋回による活用スペースを広げて、テントの床面積や組立て高さを二倍にできる。
【００５４】
さらに、連結しだいで、様々な形の設営が可能になり、防犯や安全確保、管理の点からも効果が期待出来る。
【符号の説明】
【００５５】
１    縦桟
２    フリー継ぎ手
３    ほぞ孔
４    Ｔ字継ぎ手
５    横桟
６    組み付け孔
７    タップねじ
８    梯子状の枠体
９    蝶番
１０  めがね自在蝶番
１１  固定環
１２  外装テント
１３  パッカー
１４  屏風状連結体
１５  内角６０度
１６  第一面
１７  第二面
１８  第三面
１９  梁部材としてのかすがい梁
２０  筒状の個室
２１  三角開口部
２２  テントの上部の角
２３  ロープ
２４  アンカー
２５  着脱便座
２６  便袋ガイドネット
２７  接続ホース
２９  マンホール
３０  保温材
３１  防水包装
３２  結束ひも
３３  環状取手
３４  救命筏
３５  ドア
３７  排泄用品収納箱
３８  手すり
３９  背あて
【手続補正２】
【補正対象書類名】特許請求の範囲
【補正対象項目名】全文
【補正方法】変更
【補正の内容】
【特許請求の範囲】
【請求項１】
互いに長辺が接するように並設された長方形の３つの枠体と、前記枠体の長辺の端部に設けられた連結金具と、隣り合う枠体が蝶番で互いに回動自在に連結された第一の接合部および第二の接合部と、前記枠体を覆うテント地とを有する屏風状連結体を備え、
前記屏風状連結体は、前記第一の接合部および第二の接合部を折り曲げて三角形の筒状にした状態にて、前記第一の接合部で連結された１対の枠体における蝶番とは反対側である両端に位置する二本の長辺の連結金具に梁部材を固定することで、テント地が設けられた２つの枠体でＶ字状の壁が構成され、テント地が設けられた他の１つの枠体で開閉自在なドアが構成された個室となる
ことを特徴とする防災用折りたたみ三角テント。
【請求項２】
屏風状連結体を個室にした状態では、第一の接合部を６０度に折り曲げる
ことを特徴とする請求項１記載の防災用折りたたみ三角テント。
【請求項３】
第一の接合部は、枠体の長辺が２つの蝶番で連結され、
第二の接合部は、枠体の長辺が自在蝶番で連結されている
ことを特徴とする請求項１または２記載の防災用折りたたみ三角テント。
【請求項４】
個室にした状態の複数の屏風状連結体を縦置きまたは横置きの状態で併設して互いに連結する際に、ドアの開閉状態、連結金具による連結状態および梁部材による固定状態に応じて多角的組み合わせで構成可能である
ことを特徴とする請求項１ないし３いずれか一記載の防災用折りたたみ三角テント。